(57)【要約】      （修正有）【課題】太陽光の熱からの防御機能の向上を図れる帽子を提供する。【解決手段】人の頭部を覆う可撓性の本体１０を備えた帽子Ｃにおいて、本体を、下側に頭部が通過可能な開口１１を有した袋状に形成し、頭部の覆い時に開口の開口縁１２が人の肩に支承されて保持可能に形成するとともに、頭部との間に空間を形成可能な大きさ且つ前方を視認可能に形成し、本体の外側面を太陽光を反射可能に形成し、本体に、通気口３０を設けた構成としている。【選択図】図１
0003224893.tif 000002
【実用新案登録請求の範囲】
【請求項１】
人の頭部を覆う可撓性の本体を備えた帽子において、
前記本体を、下側に前記頭部が通過可能な開口を有した袋状に形成し、前記頭部の覆い時に前記開口の開口縁が人の肩に支承されて保持可能に形成するとともに、前記頭部との間に空間を形成可能な大きさ且つ前方を視認可能に形成し、前記本体の外側面を太陽光を反射可能に形成し、前記本体に、通気口を設けたことを特徴とする帽子。
【請求項２】
前記本体を、断熱性の断熱層と、前記断熱層の外表面に被着され太陽光を反射可能な反射層とを備えて構成したことを特徴とする請求項１記載の帽子。
【請求項３】
前記断熱層を、合成樹脂シートで形成し、前記反射層を、前記断熱層に蒸着され銀面化された金属膜で形成したことを特徴とする請求項２記載の帽子。
【請求項４】
前記通気口を、前記本体の前側上部及び後側下部に夫々形成したことを特徴とする請求項１記載の帽子。
【請求項５】
前記本体の内側に、保冷剤を収納可能なポケットを設けたことを特徴とする請求項１記載の帽子。
【請求項６】
前記本体の前側開口縁に庇を設けたことを特徴とする請求項１記載の帽子。
【請求項７】
前記本体を、予め折れ癖を形成した折れ線を境に折り畳み可能にしたことを特徴とする請求項１記載の帽子。
【請求項８】
前記本体を、正面から見た正面上下方向中心線,平面から見た平面前後方向中心線及び背面から見た背面上下方向中心線を境に左右鏡面対称形状に形成し、前記頭部の両側に夫々配置され前記正面上下方向中心線を構成する前縁及び前記背面上下方向中心線を構成する後縁で互いに連設される一対の側方シートと、前記一対の側方シートの上縁に連設される上方シートとを備えで構成し、前記正面上下方向中心線,平面前後方向中心線，背面上下方向中心線及び上縁を前記折れ線として構成し、折り畳み時に、前記一対の側方シート同士が接合し、前記上方シートが前記一対の側方シート間に挾装されるようにしたことを特徴とする請求項７記載の帽子。
【請求項９】
前記一対の側方シートに、側面から見て上下を二分する上下分割線を折れ線として形成するとともに、側面から見て左右を二分する左右分割線を折れ線として形成し、上記上方シートに、平面から見て前後を二分し前記側方シートの左右分割線に連続する前後分割線を折れ線として形成したことを特徴とする請求項８記載の帽子。
【請求項１０】
前記本体の開口縁部に架設され、前記頭部の覆い時に前記本体を抑える顎紐を設けたことを特徴とする請求項１記載の帽子。
【考案の詳細な説明】
【技術分野】
【０００１】
本考案は、主に屋外で行動するときに太陽光から皮膚を守り熱による日射病等病気の予防を行うことができる帽子に関する。
【背景技術】
【０００２】
一般に、屋外で行動するとき、例えば、外出，農作業，工事現場や庭仕事での作業，各種スポーツ、あるいは、これらの観戦等の行動をするとき、夏場等に太陽光に当たって紫外線を浴びると、日焼け，シミや皮膚病の発生を誘発し、また、太陽光の熱やその輻射熱によって日射病等の病気を誘発する等の問題があり、これらを予防するために、専用の帽子を着用することがある。
【０００３】
従来、この種の帽子としては、例えば、実用新案登録第３０４４３８９号公報（特許文献１）に掲載されたものが知られている。
図６に示すように、この帽子Ｃａは、人の頭部を覆う布製で可撓性の本体１００を備えている。本体１００は、舌片状の庇１０１を有した別の帽子１０２を先に被り、その後、この別の帽子１０２の上から頭部を覆うもので、庇１０１に係止される係止部１０３を備え、頭部の覆い時に前方を視認可能な開放部１０４を有した袋状に形成されており、頭部及び首の側部及び後部を覆う。これにより、太陽光の日差しの強いとき等に使用して、日射病等の病気を予防できるようにしている。
【先行技術文献】
【特許文献】
【０００４】
【特許文献１】実用新案登録第３０４４３８９号公報
【考案の概要】
【考案が解決しようとする課題】
【０００５】
ところで、この従来の帽子Ｃａにあっては、別の帽子１０２の上に取付けるので、頭部は別の帽子１０２が密着しており、そのため、熱がこもりやすく、また、布製なので、熱が吸収されやすく、必ずしも、太陽光の熱からの防御が十分とは言えないという問題があった。
本考案はこのような問題点にかんがみてなされたもので、太陽光の熱からの防御機能の向上を図った帽子を提供することを課題とする。
【課題を解決するための手段】
【０００６】
このような目的を達成するための本考案の帽子は、請求項１の考案にあっては、人の頭部を覆う可撓性の本体を備えた帽子において、前記本体を、下側に前記頭部が通過可能な開口を有した袋状に形成し、前記頭部の覆い時に前記開口の開口縁が人の肩に支承されて保持可能に形成するとともに、前記頭部との間に空間を形成可能な大きさ且つ前方を視認可能に形成し、前記本体の外側面を太陽光を反射可能に形成し、前記本体に、通気口を設けた構成としている。本体は、頭部の覆い時に人の肩に支承されて袋状を保持可能な剛性を有する。
【０００７】
この帽子を使用するときは、例えば、夏場等で太陽光の日差しの強いとき等に、本体を頭部に被せて覆う。この場合、本体は開口縁が人の肩に支承されて袋状を保持し、頭部との間に空間を形成する。本体の内面に頭部が当接することがあっても、空間が確保されるので差支えない。これに太陽光照射されると、本体の外側面によって太陽光が反射される。そのため、光が遮光されるとともに熱の伝達が阻止され、太陽光の熱からの防御機能を向上させることができる。また、熱は多少なりとも伝達されるが、本体内部に空間があり、通気口を通しての通気が行われる。そのため、内部の空気の温度が上昇して蒸れることが防止され、この点でも太陽光の熱からの防御機能を向上させることができる。
【０００８】
この結果、屋外で行動するとき、例えば、外出，農作業，工事現場や庭仕事での作業，各種スポーツ、あるいは、これらの観戦等の行動をするとき、日焼け，シミや皮膚病の発生を防止し、また、太陽光の熱やその輻射熱によって日射病等の病気を予防することができる。
【０００９】
また、請求項２の考案は、前記本体を、断熱性の断熱層と、前記断熱層の外表面に被着され太陽光を反射可能な反射層とを備えて構成している。
これにより、本体に断熱層を設けたので、より一層熱が伝達されにくくなり、より一層熱からの防御機能を向上させることができる。
【００１０】
更に、請求項３の考案は、前記断熱層を、合成樹脂シートで形成し、前記反射層を、前記断熱層に蒸着され銀面化された金属膜で形成した構成としている。
これにより、反射層を銀面化された金属膜で構成したので、反射効率に優れ、より一層熱が伝達されにくくなり、より一層熱からの防御機能を向上させることができる。特に、紫外線をよく反射し、皮膚への影響を確実に阻止することができる。また、市販されている可撓性の保冷パックと同様の材料で作成できるので、製品を安価に製造することができ、汎用性を向上させることができる。
【００１１】
更にまた、請求項４の考案は、前記通気口を、前記本体の前側上部及び後側下部に夫々形成した構成としている。通気口は、前側及び後側で、夫々、単数であってもよく複数設けることでも良い。
これにより、例えば、空気を一方側の通気口から流入させ他方側の通気口から流出させることができる。また、空気を各通気口から流入させ開口から流出させることもできる。そのため、空気の流通が円滑になり、内部の熱を逃がしやすくなる。このため、より一層熱が伝達されにくくなり、より一層熱からの防御機能を向上させることができる。
【００１２】
また、請求項５の考案は、前記本体の内側に、保冷剤を収納可能なポケットを設けた構成としている。ポケットは複数設けることができる。
これにより、必要に応じ、保冷剤をポケットに収納すれば、保冷剤により、本体の内部空間が冷やされるので、頭部を確実に熱から保護することができる。
【００１３】
更に、請求項６の考案は、前記本体の前側開口縁に庇を設けた構成としている。
これにより、庇を設けたので、太陽光が目に入りにくくすることができるとともに、遮光性も向上させることができる。
【００１４】
更にまた、請求項７の考案は、前記本体を、予め折れ癖を形成した折れ線を境に折り畳み可能にした構成としている。
これにより、折り畳んでおくことができ、コンパクトにしてカバン等に収納しやすくなり、持ち運びやすくすることができる。また、折れ癖を付けたので、折り畳みを容易にすることができる。
【００１５】
また、請求項８の考案は、前記本体を、正面から見た正面上下方向中心線,平面から見た平面前後方向中心線及び背面から見た背面上下方向中心線を境に左右鏡面対称形状に形成し、前記頭部の両側に夫々配置され前記正面上下方向中心線を構成する前縁及び前記背面上下方向中心線を構成する後縁で互いに連設される一対の側方シートと、前記一対の側方シートの上縁に連設される上方シートとを備えで構成し、前記正面上下方向中心線，平面前後方向中心線，背面上下方向中心線及び上縁を前記折れ線として構成し、折り畳み時に、前記一対の側方シート同士が接合し、前記上方シートが前記一対の側方シート間に挾装されるようにした構成としている。
これにより、上方シートが一対の側方シート間に挾装されるようにこの一対の側方シート同士を接合して折り畳んで扁平状にすることができ、コンパクトにすることができる。また、構造を簡易にして折り畳みやすくすることができる。
【００１６】
更に、請求項９の考案は、前記一対の側方シートに、側面から見て上下を二分する上下分割線を折れ線として形成するとともに、側面から見て左右を二分する左右分割線を折れ線として形成し、上記上方シートに、平面から見て前後を二分し前記側方シートの左右分割線に連続する前後分割線を折れ線として形成した構成としている。
これにより、前述の上方シートが一対の側方シート間に挾装されるようにこの一対の側方シート同士を接合して折り畳んで扁平状にしたものを、更に、上下分割線で折り畳み、左右分割線及び前後分割線で折り畳むことができるので、より一層コンパクトにすることができる。
【００１７】
更にまた、請求項１０の考案は、前記本体の開口縁部に架設され、前記頭部の覆い時に前記本体を抑える顎紐を設けた構成としている。
これにより、本体の装着時に顎紐で本体を頭部に抑えることができるので、本体を頭部から外れにくくすることができる。
【考案の効果】
【００１８】
本考案の帽子は、請求項１の考案にあっては、本体を頭部との間に空間を形成可能な大きさ且つ前方を視認可能な袋状に形成し、本体の外側面を太陽光を反射可能に形成し、この本体に、通気口を設けた構成としたので、これに太陽光照射されると、本体の外側面によって太陽光を反射することができる。
そのため、光を遮光して熱の伝達を阻止することができ、太陽光の熱からの防御機能を向上させることができる。また、熱は多少なりとも伝達されても、本体内部に空間があり、通気口を通しての通気が行われるので、内部の空気の温度が上昇して蒸れることを防止することができ、この点でも太陽光の熱からの防御機能を向上させることができる。
【００１９】
この結果、屋外で行動するとき、例えば、外出，農作業，工事現場や庭仕事での作業，各種スポーツ、あるいは、これらの観戦等の行動をするとき、日焼け，シミや皮膚病の発生を防止し、また、太陽光の熱やその輻射熱によって日射病等の病気を予防することができる。
また、夏場又は日差しの強い秋における学校行事等において、特に小児児童が本考案に係る帽子を着用した場合には、単にスクール帽やいわゆる野球帽をかぶる場合よりも、より有効に日射病や熱射病の発病の可能性を低減することが可能となる。
【００２０】
また、請求項２の考案にあっては、本体を、断熱性の断熱層と太陽光を反射可能な反射層とを備えて構成したので、断熱層によって、より一層熱を伝達しにくくすることができ、より一層熱からの防御機能を向上させることができる。
【００２１】
更に、請求項３の考案にあっては、断熱層を、合成樹脂シートで形成し、反射層を、断熱層に蒸着され銀面化された金属膜で形成したので、金属膜は反射効率に優れることから、より一層熱を伝達しにくくして、より一層熱からの防御機能を向上させることができる。
特に、紫外線をよく反射し、皮膚への影響を確実に阻止することができる。また、市販されている可撓性の保冷パックと同様の材料で作成できるので、製品を安価に製造することができ、汎用性を向上させることができる。
また、全体として合成樹脂シートにより形成されていることから、非常に軽量であり、手軽に持ち運ぶことができ、搬送性に富む。
【００２２】
更にまた、請求項４の考案にあっては、通気口を本体の前側上部及び後側下部に夫々形成したので、空気を一方側の通気口から流入させ他方側の通気口から流出させることができる。そのため、空気の流通が円滑になり、内部の熱を逃がしやすくなる。このため、より一層熱が伝達されにくくなり、より一層熱からの防御機能を向上させることができる。
【００２３】
また、請求項５の考案にあっては、本体の内側に、保冷剤を収納可能なポケットを設けたので、必要に応じ、保冷剤をポケットに収納すれば、保冷剤により、本体の内部空間が冷やされることから、頭部を確実に熱から保護することができる。
【００２４】
更に、請求項６の考案にあっては、本体の前側開口縁に庇を設けたので、太陽光が目に入りにくくすることができるとともに、遮光性も向上させることができる。
【００２５】
更にまた、請求項７の考案にあっては、本体を、予め折れ癖を形成した折れ線を境に折り畳み可能にしたので、コンパクトにしてカバン等に収納しやすくなり、持ち運びやすくすることができる。また、折れ癖を付けたので、折り畳みを容易にすることができる。
【００２６】
更に、請求項８の考案にあっては、一対の側方シートと上方シートとを備えで構成し、これらの正面上下方向中心線，平面前後方向中心線，背面上下方向中心線及び上縁を折れ線として構成したので、上方シートが一対の側方シート間に挾装されるようにこの一対の側方シート同士を接合して折り畳んで扁平状にすることができ、コンパクトにすることができる。また、構造を簡易にして折り畳みやすくすることができる。
【００２７】
更にまた、請求項９の考案にあっては、前述の上方シートが一対の側方シート間に挾装されるようにこの一対の側方シート同士を接合して折り畳んで扁平状にしたものを、更に、上下分割線で折り畳み、左右分割線及び前後分割線で折り畳むことができるので、より一層コンパクトにすることができる。
【００２８】
また、請求項１０の考案にあっては、本体の開口縁部に顎紐を設けたので、本体の装着時に顎紐で本体を頭部に抑えることができることから、風が吹いたような場合において、本体を頭部から外れにくくすることができる。
【図面の簡単な説明】
【００２９】
【図１】本考案に係る帽子の一実施形態を示す斜視図である。
【図２】本考案に係る帽子の一実施形態を示し、（ａ）は正面図、（ｂ）は平面図、（ｃ）は背面図、（ｄ）は側面図である。
【図３】本考案に係る帽子の一実施形態において、一部を拡大して示す断面図である。
【図４】本考案に係る帽子の一実施形態において、その使用状態を示す図である。
【図５】本考案に係る帽子の一実施形態において、折り畳む時の経過を示し、（ａ）は上方シートが一対の側方シート間に挾装されるように折り畳んで扁平状にした状態の側面図、（ｂ）はその正面図、（ｃ）はこの扁平状のものの上下を折り畳んで重ねた状態の側面図、（ｄ）は更に左右を折り畳んで重ねた状態の側面図である。
【図６】従来の帽子の一例をその使用状態とともに示す図である。
【考案を実施するための形態】
【００３０】
以下、添付図面に基づいて、本考案の実施の形態に係る帽子について詳細に説明する。
図１乃至図５に示すように、本考案の実施の形態に係る帽子Ｃは、人の頭部を覆う可撓性の本体１０を備えている。
本体１０は、下側に頭部が通過可能な開口１１を有した袋状に形成されている。この本体１０は、頭部の覆い時に開口１１の開口縁１２が人の肩に支承されて保持可能に形成されるとともに、頭部との間に空間ｅを形成可能な大きさ且つ開口１１から前方を視認可能な形状に形成されている。即ち、本体１０は、頭部の覆い時に人の肩に支承されて袋状を保持可能な剛性を有する。
【００３１】
開口１１の前側は、図４に示すように、本体１０を装着した人が前方を見ることができるように大きく形成されている。開口１１の前側には比較的小さい庇１３が突出形成されている。本体１０の開口縁１２の中間部は、肩に支承される左右一対の支承部１４を構成している。また、本体１０の開口縁部には、頭部の覆い時に本体１０を抑える顎紐１５が架設されている。
【００３２】
また、本体１０の外側面は、太陽光を反射可能に形成されている。詳しくは、本体１０は、図３に示すように、断熱性の断熱層２０と、断熱層２０の外表面に被着され太陽光を反射可能な反射層２１とを備えて構成されている。実施の形態では、断熱層２０は、発泡ポリエチレン等からなる合成樹脂シートで形成され、反射層２１は、断熱層２０に蒸着され銀面化されたアルミニウム等の金属膜で形成されている。この場合、市販されている可撓性の保冷パックと同様の材料で作成できるので、製品を安価に製造することができ、汎用性を向上させることができる。
【００３３】
更に、本体１０には、通気口３０が設けられている。通気口３０は、本体１０の前側上部及び後側下部に夫々形成されている。通気口３０は、本体１０の前側上部の左右対称位置に一対設けられるとともに、後側下部中央に１つ設けられている。
【００３４】
更にまた、本体１０の内側には、保冷剤３１を収納可能なポケット３２が設けられている。ポケット３２は、通気性の合成樹脂シート等を用い上開放にして本体１０内面に止着する等して形成している。実施の形態では、ポケット左右に一対ずつ並設されており、全部で４つ設けられている。
【００３５】
また、本体１０は、予め折れ癖を形成した折れ線Ｌを境に折り畳み可能に形成されている。詳しくは、本体１０は、図２（ａ）に示す正面から見た正面上下方向中心線Ｐ１，図２（ｂ）に示す平面から見た平面前後方向中心線Ｐ２及び図２（ｃ）に示す背面から見た背面上下方向中心線Ｐ３を境に左右鏡面対称形状に形成されている。
また、本体１０は、頭部の両側に夫々配置され正面上下方向中心線Ｐ１を構成する前縁４０及び背面上下方向中心線Ｐ３を構成する後縁４１で互いに連設される一対の側方シート４２と、この一対の側方シート４２の上縁４３に連設される上方シート４４とを備えで構成されている。
【００３６】
そして、正面上下方向中心線Ｐ１，平面前後方向中心線Ｐ２，背面上下方向中心線Ｐ３及び上縁４３は、折れ線Ｌとして構成されており、図５（ｂ）に示すように、折り畳み時に、一対の側方シート４２同士が接合し、前記上方シート４４が前記一対の側方シート４２間に挾装されるようにしている。
【００３７】
また、一対の側方シートには、図２（ｄ）に示す側面から見て上下を二分する上下分割線Ｑ１が折れ線Ｌとして形成されているとともに、この側面から見て左右を二分する左右分割線Ｑ２が折れ線Ｌとして形成され、上方シート４４には、図２（ｂ）に示す平面から見て前後を二分し側方シートの左右分割線Ｑ２に連続する前後分割線Ｑ３が折れ線Ｌとして形成されている。
【００３８】
従って、この実施の形態に係る帽子Ｃを使用するときは、例えば、夏場等で太陽光の日差しの強いとき等に、図４に示すように、本体１０を頭部に被せて覆うとともに、顎紐１５を顎に係止する。
この場合、本体１０は開口縁１２の支承部１４が人の肩に支承されて袋状を保持し、頭部との間に空間ｅを形成する。本体１０の内面に頭部が当接することがあっても、空間ｅが確保されるので差支えない。
これに太陽光照射されると、本体１０の外側面によって太陽光が反射される。そのため、光が遮光されるとともに熱の伝達が阻止され、太陽光の熱からの防御機能を向上させることができる。
特に、本体１０は、断熱性の断熱層２０と、断熱層２０の外表面に被着され太陽光を反射可能な反射層２１とを備えて構成されているので、断熱層２０があることから、より一層熱が伝達されにくくなり、より一層熱からの防御機能を向上させることができる。
更に、反射層２１は銀面化された金属膜で構成されているので、反射効率に優れ、より一層熱が伝達されにくくなり、より一層熱からの防御機能を向上させることができる。特に、紫外線をよく反射し、皮膚への影響を確実に阻止することができる。
【００３９】
また、本体１０に熱が多少なりとも伝達されても、本体１０内部には空間ｅがあり、通気口３０を通しての通気が行われる。そのため、内部の空気の温度が上昇して蒸れることが防止され、この点でも太陽光の熱からの防御機能を向上させることができる。
特に、通気口３０を、本体１０の前側上部及び後側下部に夫々形成したので、これにより、例えば、空気を一方側の通気口３０から流入させ他方側の通気口３０から流出させることができる。
また、空気を各通気口３０から流入させ開口１１から流出させることもできる。そのため、空気の流通が円滑になり、内部の熱を逃がしやすくなる。このため、より一層熱が伝達されにくくなり、より一層熱からの防御機能を向上させることができる。
【００４０】
更に、本体１０の内側に、保冷剤３１を収納可能なポケット３２を設けたので、必要に応じ、保冷剤３１をポケット３２に収納すれば、保冷剤３１により、本体１０の内部空間ｅを冷やすことができる。
そのため、頭部を確実に熱から保護することができる。更にまた、本体１０の前側開口縁１２に庇１３が設けられているので、太陽光が目に入りにくくすることができるとともに、遮光性も向上させることができる。
【００４１】
この結果、屋外で行動するとき、例えば、外出，農作業，工事現場や庭仕事での作業，各種スポーツ、あるいは、これらの観戦等の行動をするとき、日焼け，シミや皮膚病の発生を防止し、また、太陽光の熱やその輻射熱によって日射病等の病気を予防することができる。
【００４２】
また、この実施の形態に係る帽子Ｃを使用しないときは、本体１０を折り畳んでおく。即ち、先ず、図５（ａ）（ｂ）に示すように、正面上下方向中心線Ｐ１，平面前後方向中心線Ｐ２及び背面上下方向中心線Ｐ３の折れ線Ｌを境にして折り畳み、上方シート４４が一対の側方シート４２間に挾装されるようにこの一対の側方シート４２同士を接合して折り畳んで扁平状にする。
次に、図５（ｃ）に示すように、この扁平状のものを、上下分割線Ｑ１の折れ線Ｌを境に折り畳み、更に、図５（ｄ）に示すように、左右分割線Ｑ２及び前後分割線Ｑ３の折れ線Ｌを境に折り畳む。これにより、コンパクトにしてカバン等に収納しやすくなり、持ち運びやすくすることができる。また、折れ線Ｌには折れ癖があるので、折り畳みを容易にすることができる。
【００４３】
尚、上記実施の形態にあっては、本体１０を一対の側方シート４２と上方シート４４との３つのシートを連設して構成したが必ずしもこれに限定されるものではなく、４以上のシートを連設させるようにしてもよく、適宜変更して差し支えない。また、全体形状も上述した形状に限定されないことは勿論である。
【符号の説明】
【００４４】
Ｃ  帽子
１０  本体
１１  開口
１２  開口縁
ｅ  空間
１３  庇
１４  支承部
１５  顎紐
２０  断熱層
２１  反射層
３０  通気口
３１  保冷剤
３２  ポケット
Ｌ  折れ線
Ｐ１  正面上下方向中心線
Ｐ２  平面前後方向中心線
Ｐ３  背面上下方向中心線
４０  前縁
４１  後縁
４２  側方シート
４３  上縁
４４  上方シート
Ｑ１  上下分割線
Ｑ２  左右分割線
Ｑ３  左右分割線
【図１】
0003224893.tif 000003
【図２】
0003224893.tif 000004
【図３】
0003224893.tif 000005
【図４】
0003224893.tif 000006
【図５】
0003224893.tif 000007
【図６】
0003224893.tif 000008